(57)【要約】      （修正有）【課題】保湿器用のカバーのスライド機構を提供する。【解決手段】保湿器には２本の滑動溝５及びカバーが設置され、カバーは２つのスライダーにより２本の滑動溝５に滑動可能に設置される。保湿器には活動溝４が設けられ、活動溝４内には２つの上部位置限定口１１及び２つの下部位置限定口１２が開設され、活動溝４内に設置されるロック装置３を更に備える。ロック装置３は上部位置限定口１１及び下部位置限定口１２に向けて拡張される２本のピン３１を有し、２本のピン３１には上部位置限定口１１に組み合わせられる位置限定ブロック３２が設置され、カバーがピン３１の位置限定ブロック３２から離れる一端部分でロック装置３に連結されて固定される。【選択図】図２
0003207537.tif 000002
【実用新案登録請求の範囲】
【請求項１】
２本の滑動溝及びカバーが設置され、前記カバーが２つのスライダーにより２本の滑動溝に対して滑動可能に設置される保湿器用のカバーのスライド機構であって、
前記保湿器には活動溝が設けられ、
前記活動溝内には、２つの上部位置限定口及び２つの下部位置限定口が開設され、ロック装置が更に設置され、
前記ロック装置は、前記上部位置限定口及び前記下部位置限定口に向けて拡張される２本のピンを有し、
前記ピンには、前記上部位置限定口に組み合わせられる位置限定ブロックが設置され、
前記カバーは、前記ピンの前記位置限定ブロックから離れる一端部分で前記ロック装置に連結されて固定される、
ことを特徴とする保湿器用のカバーのスライド機構。
【請求項２】
前記ピンは、弾性材料で製造され、
前記ロック装置には、前記ピンが固定される連接柱を更に備える、
ことを特徴とする、
請求項１に記載の保湿器用のカバーのスライド機構。
【請求項３】
前記２本のピンは、互いに回動可能に連結され、
その回動連結部位にはトルクバネが設置される、
ことを特徴とする、
請求項１または２に記載の保湿器用のカバーのスライド機構。
【請求項４】
前記ピンの回動連結部位から離れる位置に設置される弾性部材は、前記ピンに連結されることを特徴とする、
請求項１乃至３のいずれかに記載の保湿器用のカバーのスライド機構。
【請求項５】
前記スライダーには、端部が外側に向けて折曲される長形突起が形成され、
前記滑動溝内には、前記長形突起を滑動させるための長形溝が設けられる、
ことを特徴とする、
請求項１乃至４のいずれかに記載の保湿器用のカバーのスライド機構。
【考案の詳細な説明】
【技術分野】
【０００１】
本考案は、保湿器用のカバーのスライド機構に関する。
【背景技術】
【０００２】
生活水準及び品質が日増しに向上する中で、大衆は美容と健康を求めるようになった。現在、人々の間では保湿器が美容のための家電製品としてすでに広く認知されており、便利に使用されている。すなわち、保湿器は現代において、家庭用の先進的な美容器具である。保湿器の基本原理は、科学技術によって水をナノメートル級の比較的な高温の霧状の粒子に変化させて、毛穴を開かせ、汚れを取り除いて皮膚を清潔にし、血流を良くし、垢を落とし、皺や黒ずみを消して、顔の皮膚に潤いを与えて肌のきめを細かくし、健康的で艶や張りのある肌にする。または、水を極微小な霧状粒子に変化させ、皮膚に触れさせることで、皮膚を洗浄し、毛穴を収縮させてきめを細かくし、艶を与えて、顔の皮膚の老化を防ぐ。
【考案の概要】
【考案が解決しようとする課題】
【０００３】
しかしながら、前述した従来の保湿器では、すなわち、現在の保湿器の多くは噴霧口が直接外に露出されているため、何度も使用されると汚れてしまい、衛生的とは言えなかった。そこで、本考案者は上記の課題が改善可能と考え、鋭意検討を重ねた結果、合理的設計で上記の課題を効果的に改善する本考案の提案に到った。
【０００４】
本考案は、このような従来の問題に鑑みてなされたものである。上記課題解決のため、本考案は、保湿器用のカバーのスライド機構を提供することを主目的とする。
【課題を解決するための手段】
【０００５】
上述した課題を解決し、上記目的を達成するための本考案は、本考案の保湿器用のカバーのスライド機構は、保湿器には２本の滑動溝及びカバーが設置され、前記カバーは２つのスライダーにより２本の滑動溝に滑動可能に設置される。保湿器には活動溝が設けられ、前記活動溝内には２つの上部位置限定口及び２つの下部位置限定口が開設され、活動溝内に設置されるロック装置を更に備える。前記ロック装置は前記上部位置限定口及び前記下部位置限定口に向けて拡張される２本のピンを有し、前記ピンには前記上部位置限定口に組み合わせられる位置限定ブロックが設置され、前記カバーは、前記ピンの前記位置限定ブロックから離れる一端部分で前記ロック装置に連結されて固定される。
【０００６】
好ましくは、前記ピンは弾性材料で製造され、前記ロック装置には、前記ピンが固定される連接柱を更に備える。
【０００７】
好ましくは、前記２本のピンは回動可能に連結され、その回動連結部位にはトルクバネが設置される。
【０００８】
好ましくは、前記ピンの回動連結部位から離れる位置に設置される弾性部材はピンに連結される。
【０００９】
好ましくは、前記スライダーには、端部が外側に向けて折曲される長形突起が形成され、前記滑動溝内には前記長形突起を滑動させるための長形溝が各々設けられる。
【考案の効果】
【００１０】
本考案によれば、カバーが保湿器上で滑動するため、未使用時には保湿器の噴霧口がカバーにより遮蔽され、噴霧口が衛生的に保たれる。また、本考案によれば、使用時にはカバーを滑動させるのみで保湿器の噴霧口が露出されるため、操作がより便利になる。
【図面の簡単な説明】
【００１１】
【図１】本考案に係る保湿器用のカバーのスライド機構を示す外観斜視図である。
【図２】本考案の第１実施形態の保湿器用の外部ケースの構成を示す概略図である。
【図３】本考案の第１実施形態の保湿器用のカバーの構成を示す概略図である。
【図４】本考案の第２実施形態の保湿器用の外部ケースの構成を示す概略図である。
【図５】本考案の第２実施形態の保湿器用のカバーの構成を示す概略図である。
【図６】本考案の第３実施形態の保湿器用の外部ケースの構成を示す概略図である。
【考案を実施するための形態】
【００１２】
本考案における実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１３】
以下、本考案の具体的な実施形態について添付図面に基づき説明する。
（第１実施形態）
本考案に係るスライド機構が応用される図１に示す保湿器１は、図２に示すように保湿器１に２本の滑動溝５が設置される。また、保湿器１は、図３に示すカバー６が設置される。カバー６は、２つのスライダー７により２本の滑動溝５に滑動可能に設置される。噴霧口１０は、カバー６により遮蔽される。
【００１４】
また、図２及び図３に示すように、保湿器１用のカバー６のスライド機構は、保湿器１に活動溝４が設けられ、活動溝４内に２つの上部位置限定口１１及び２つの下部位置限定口１２が開設され、活動溝４内に設置されるロック装置３を更に備える。ロック装置３は、上部位置限定口１１及び下部位置限定口１２に向けて拡張される２つのピン３１及び連接柱３３を含む。連接柱３３は、カバー６に連結されて固定される。ピン３１は、弾性材料で製造されると共に、一端に設けられる連接柱３３に固定される。２本のピン３１の連接柱３３が設けられている側とは反対側の端部には、上部位置限定口１１に組み合わせられる位置限定ブロック３２が各々設置される。
【００１５】
図１に示すように、カバー６のスライド機構は、初期状態では、カバー６により噴霧口１０が遮蔽され、２つの位置限定ブロック３２が２つの上部位置限定口１１中に係合される。保湿器１が使用されるとき、操作者がカバー６に対して下に向けて力をかけることで、カバー６からの力により連動されることにより２つの位置限定ブロック３２が２つの上部位置限定口１１から脱離される。この際、２本のピン３１が活動溝４の中央部に向けて互いに接近し、一定の弾性位置エネルギーが累積され、２つの位置限定ブロック３２が２つの下部位置限定口１２の位置まで移動する。その後、ピン３１に累積された弾性位置エネルギーにより２つの位置限定ブロック３２は、２つの下部位置限定口１２内に押し入れられることで、カバー６が係止されて、噴霧口１０が露出される。使用後は、カバー６が上に向けて押されると、２つの位置限定ブロック３２が２つの下部位置限定口１２から脱離されて２つの上部位置限定口１１内に再び係合され、カバー６により噴霧口１０が遮蔽される。
【００１６】
（第２実施形態）
本考案の第２実施形態の構成を図４及び図５に示す。保湿器１用のカバー６のスライド機構は、保湿器１に活動溝４が設けられ、活動溝４内には２つの上部位置限定口１１及び２つの下部位置限定口１２が開設される。また、保湿器１は、活動溝４内に設置されるロック装置３を更に備える。ロック装置３は、上部位置限定口１１及び下部位置限定口１２に向けて拡張される２つのピン３１を含む。２本のピン３１には、上部位置限定口１１に組み合わせられる位置限定ブロック３２が各々設置される。２本のピン３１は、位置限定ブロック３２から離れる一端部分が重畳され、重畳部位の２本のピン３１には凹座が各々設置される。２つの凹座は、相互に組み合わせられ、相互に組み合わせられる２つの凹座の間にはトルクバネ３４が設置される。２本のピン３１の重畳部位には、位置決め孔３６が更に設けられる。図５に示すように、カバー６には位置決め孔３６に組み合わせられる位置決めピン９が設置される。位置決めピン９が位置決め孔３６内に挿設されることにより、カバー６及びロック装置３が連結される。
【００１７】
初期状態では、カバー６により噴霧口１０が遮蔽され、２つの位置限定ブロック３２が２つの上部位置限定口１１中に係合される。保湿器１が使用されるとき、操作者がカバー６に対して下に向けて力をかけることで、カバー６からの力により連動されることにより２つの位置限定ブロック３２が２つの上部位置限定口１１から脱離される。この際、２本のピン３１が活動溝４の中央部に向けて互いに接近し、トルクバネ３４が変形されて弾性位置エネルギーが累積され、２つの位置限定ブロック３２が２つの下部位置限定口１２の位置まで移動されると、トルクバネ３４に累積された弾性位置エネルギーにより２つの位置限定ブロック３２が２つの下部位置限定口１２内に押し入れられ、カバー６が係止され、噴霧口１０が露出される。使用後には、カバー６が上に向けて押されると、２つの位置限定ブロック３２が２つの下部位置限定口１２から脱離されて２つの上部位置限定口１１内に再び係合され、カバー６により噴霧口１０が遮蔽される。
【００１８】
（第３実施形態）
図６に示すように、保湿器１用のカバー６のスライド機構は、保湿器１に活動溝４が設けられ、活動溝４内に２つの上部位置限定口１１及び２つの下部位置限定口１２が開設される。また、保湿器１は、活動溝４内に設置されるロック装置３を更に備える。ロック装置３は、上部位置限定口１１及び下部位置限定口１２に向けて拡張される２つのピン３１を含む。２本のピン３１には、上部位置限定口１１に組み合わせられる位置限定ブロック３２が各々設置される。２本のピン３１は、位置限定ブロック３２から離れる一端部分が重畳され、重畳部位の２本のピン３１には凹座が各々設置される。２つの凹座は、相互に組み合わせられる。２本のピン３１の重畳部位には、位置決め孔３６が更に設けられる。また、２本のピン３１の未重畳部位には２本のピン３１に連結される弾性部材３５が設置される。カバー６(本実施形態に係るカバー構造及び第２実施形態に係るカバー構造は同じである)には、位置決め孔３６に組み合わせられる位置決めピン９が設置される。位置決めピン９が位置決め孔３６内に挿設されることにより、カバー６及びロック装置３が連結される。
【００１９】
初期状態では、カバー６により噴霧口１０が遮蔽され、２つの位置限定ブロック３２が２つの上部位置限定口１１中に係合される。保湿器１が使用されるとき、操作者がカバー６に対して下に向けて力をかけることで、カバー６からの力により連動されることにより２つの位置限定ブロック３２が２つの上部位置限定口１１から脱離される。この際、２本のピン３１が活動溝４の中央部に向けて互いに接近し、弾性部材３５が変形されて弾性位置エネルギーが累積され、２つの位置限定ブロック３２が２つの下部位置限定口１２の位置まで移動されると、弾性部材３５に累積された弾性位置エネルギーにより２つの位置限定ブロック３２は、２つの下部位置限定口１２内に押し入れられることで、カバー６が係止されて、噴霧口１０が露出される。使用後には、カバー６が上に向けて押されると、２つの位置限定ブロック３２が２つの下部位置限定口１２から脱離されて２つの上部位置限定口１１内に再び係合され、カバー６により噴霧口１０が遮蔽される。
【００２０】
上述の上部位置限定口１１及び下部位置限定口１２の形状は一定の弧度を呈し、操作者が小さな外力を加えることにより、位置限定ブロック３２が位置限定口から脱離されるため、操作性が向上する。
【００２１】
なお、上述の２つのスライダー７の端部は、外側に向けて折曲される長形突起が形成され、２つの滑動溝５内には、長形突起を滑動させるための長形溝が各々設けられて、カバー６が外部ケース２から脱離されるのを効果的に防止させる。
【００２２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１  保湿器
２  外部ケース
３  ロック装置
４  活動溝
５  滑動溝
６  カバー
７  スライダー
９  位置決めピン
１０  噴霧口
１１  上部位置限定口
１２  下部位置限定口
３１  ピン
３２  位置限定ブロック
３３  連接柱
３４  トルクバネ
３５  弾性部材
３６  位置決め孔
【図１】
0003207537.tif 000003
【図２】
0003207537.tif 000004
【図３】
0003207537.tif 000005
【図４】
0003207537.tif 000006
【図５】
0003207537.tif 000007
【図６】
0003207537.tif 000008